(57)【特許請求の範囲】
【請求項１】
表裏一対の外装シートと、両外装シートの両側部から内側に折り込まれてサイドガセット部を形成する左右一対のサイドガセットシートと、両外装シートの下端部から内側に折り込まれてボトムガセット部を形成するボトムガセットシートとを備え、
前記サイドガセットシートは、幅方向の中央部を、その上端から前記ボトムガセットシートの折込高さ位置まで延びる谷折りの第１縦折目線と、幅方向の中央部を、その下端から前記第１縦折目線の下端まで延びる山折りの第２縦折目線と、下端角部から前記第１縦折目線と第２縦折目線との境界点まで延びる一対の谷折りの傾斜折目線とを有し、谷折りの前記第１縦折目線で二つ折りされると共に、一対の谷折りの前記傾斜折目線に挟まれた三角形の部分が山折りの前記第２縦折目線で二つ折りされることによって、前記サイドガセット部の下端に二重折込部が形成されるようになっており、
前記外装シートの側縁が対応する前記サイドガセットシートの側縁に、前記外装シートの下端縁が対応する前記ボトムガセットシートの下端縁にそれぞれヒートシールされると共に、前記ボトムガセットシートの側縁が対応する前記サイドガセットシートの二重折込部における内側の側縁にヒートシールされた角底パウチにおいて、
左右の前記サイドガセット部にそれぞれ形成された、前記サイドガセットシートの二重折込部には、前記サイドガセットシートが完全に開かないように、前記外装シート、前記サイドガセットシート及び前記ボトムガセットシートのいずれか２つのシートが部分的に接合された接合部が形成されていることを特徴とする角底パウチ。
【請求項２】
前記サイドガセットシートの前記二重折込部における外側の側縁及びその側縁に隣接する内側の側縁には、対応する位置に切欠部がそれぞれ形成されており、
これらの切欠部を介して、前記外装シートと前記ボトムガセットシートとが接合されている請求項１に記載の角底パウチ。
【請求項３】
前記サイドガセットシートの側縁シール部を除いて、前記接合部が形成されている請求項１に記載の角底パウチ。
【請求項４】
前記接合部が前記サイドガセットシートの側縁シール部と一体的に形成されている請求項１に記載の角底パウチ。
【請求項５】
裏面側の前記外装シートと前記ボトムガセットシートとが部分的に接合されることによって前記接合部が形成されている請求項１、２、３または４に記載の角底パウチ。
【請求項６】
前記サイドガセットシートの二重折込部よりも上側に、前記サイドガセットシートの側縁シール部を除いて、前記外装シートと前記サイドガセットシートとが接合された上位接合部を有している請求項１、２、３、４または５に記載の角底パウチ。
【発明の詳細な説明】
【技術分野】
【０００１】
この発明は、一対のサイドガセット部及びボトムガセット部を有する角底パウチに関する。
【背景技術】
【０００２】
この種の角底パウチとしては、例えば、図６（ａ）、（ｂ）に示すようなものがある。この角底パウチ５０は、同図に示すように、表裏一対の外装シート５１と、両外装シート５１の両側部から内側に折り込まれてサイドガセット部を形成する左右一対のサイドガセットシート５２と、両外装シート５１の下端部から内側に折り込まれてボトムガセット部を形成するボトムガセットシート５３と、表裏一対の外装シート５１の上部内面にそれぞれ貼着された一対のファスナー部材５４とから構成されており、外装シート５１の側縁が対応するサイドガセットシート５２の側縁に、外装シート５１の下端縁が対応するボトムガセットシート５３の下端縁にそれぞれヒートシールされると共に、ボトムガセットシート５３の側縁が対応するサイドガセットシート５２の下端に形成された二重折込部５２ａにおける内側の側縁にヒートシールされることで、袋状に形成されている。
【０００３】
こういった角底パウチは、自立性に優れていると共に、同一サイズの他のパウチに比べて容量が大きいという利点があり、主としてコーヒー豆や茶葉等の粉物製品のパッケージとして一般的に使用されている。
【先行技術文献】
【特許文献】
【０００４】
【特許文献１】特許第３６５５６２７号公報
【特許文献２】特開２０１０−０３６５８７号公報
【発明の概要】
【発明が解決しようとする課題】
【０００５】
ところで、上述した角底パウチ５０は、サイドガセット部及びボトムガセット部の双方が開くようになっているので、例えば、化粧品や点眼薬等の容器入り商品の２次包装パッケージとして使用すると、図７（ａ）、（ｂ）に示すように、点眼薬Ｂ等の収容物品が角底パウチ５０の中で揺動してしまい、位置規制ができないといった問題がある。
【０００６】
こういった問題を解決するため、収容物品に合わせて角底パウチ自体をタイトに設計することが考えられるが、収容物品に合わせて角底パウチ自体をタイトに設計すると、角底パウチ内で収容物品が揺動しにくくなるが、収容物品の収容作業性が悪くなると共に、外装シートの幅も小さくなるので、表示面積が小さくなるといった問題がある。
【０００７】
そこで、この発明の課題は、収容作業性が良く、しかも、物品を収容した状態では、確実に位置規制をすることができる角底パウチを提供することにある。
【課題を解決するための手段】
【０００８】
上記の課題を解決するため、請求項１に係る発明は、表裏一対の外装シートと、両外装シートの両側部から内側に折り込まれてサイドガセット部を形成する左右一対のサイドガセットシートと、両外装シートの下端部から内側に折り込まれてボトムガセット部を形成するボトムガセットシートとを備え、前記サイドガセットシートは、幅方向の中央部を、その上端から前記ボトムガセットシートの折込高さ位置まで延びる谷折りの第１縦折目線と、幅方向の中央部を、その下端から前記第１縦折目線の下端まで延びる山折りの第２縦折目線と、下端角部から前記第１縦折目線と第２縦折目線との境界点まで延びる一対の谷折りの傾斜折目線とを有し、谷折りの前記第１縦折目線で二つ折りされると共に、一対の谷折りの前記傾斜折目線に挟まれた三角形の部分が山折りの前記第２縦折目線で二つ折りされることによって、前記サイドガセット部の下端に二重折込部が形成されるようになっており、前記外装シートの側縁が対応する前記サイドガセットシートの側縁に、前記外装シートの下端縁が対応する前記ボトムガセットシートの下端縁にそれぞれヒートシールされると共に、前記ボトムガセットシートの側縁が対応する前記サイドガセットシートの二重折込部における内側の側縁にヒートシールされた角底パウチにおいて、左右の前記サイドガセット部にそれぞれ形成された、前記サイドガセットシートの二重折込部には、前記サイドガセットシートが完全に開かないように、前記外装シート、前記サイドガセットシート及び前記ボトムガセットシートのいずれか２つのシートが部分的に接合された接合部が形成されていることを特徴とする角底パウチを提供するものである。
【０００９】
また、請求項２に係る発明は、請求項１に係る発明の角底パウチにおいて、前記サイドガセットシートの前記二重折込部における外側の側縁及びその側縁に隣接する内側の側縁には、対応する位置に切欠部がそれぞれ形成されており、これらの切欠部を介して、前記外装シートと前記ボトムガセットシートとが接合されていることを特徴としている。
【００１０】
また、請求項３に係る発明は、請求項１に係る発明の角底パウチにおいて、前記サイドガセットシートの側縁シール部を除いて、前記接合部が形成されていることを特徴としている。
【００１１】
また、請求項４に係る発明は、請求項１に係る発明の角底パウチにおいて、前記接合部または前記上位接合部が前記サイドガセットシートの側縁シール部と一体的に形成されていることを特徴としている。
【００１２】
また、請求項５に係る発明は、請求項１、２、３または４に係る発明の角底パウチにおいて、裏面側の前記外装シートと前記ボトムガセットシートとが部分的に接合されることによって前記接合部が形成されていることを特徴としている。
【００１３】
また、請求項６に係る発明は、請求項１、２、３、４または５に係る発明の角底パウチにおいて、前記サイドガセットシートの二重折込部よりも上側に、前記サイドガセットシートの側縁シール部を除いて、前記外装シートと前記サイドガセットシートとが接合された上位接合部を有している。
【発明の効果】
【００１４】
以上のように、請求項１に係る発明の角底パウチは、左右のサイドガセット部にそれぞれ形成された、サイドガセットシートの二重折込部に、サイドガセットシートが完全に開かないように、外装シート、サイドガセットシート及びボトムガセットシートのいずれか二つのシートが部分的に接合された接合部が形成されているので、底部付近のサイドガセット部は、その幅方向の中央部が内側に張り出すことになり、収容物品がサイドガセット部によって位置決めされる。
【００１５】
また、収容物品の位置規制のためにサイドガセット部やボトムガセット部の幅を小さくしなくてもよいので、パウチ上部にある程度の余裕を確保することができると共に、外装シートの幅を十分に確保することができるので、物品の収容作業性が低下することがなく、表示面積が小さくなることもない。
【００１６】
また、請求項２に係る発明の角底パウチは、前記サイドガセットシートの前記二重折込部における外側の側縁及びその側縁に隣接する内側の側縁にそれぞれ形成された切欠部を介して、外装シートとボトムガセットシートとが接合されているので、その切欠部をサイドガセットシートにおける側縁シール部分に形成しておくことによって、サイドガセットシートの側縁を外装シートやボトムガセットシートの側縁にシールする際、外装シートとボトムガセットシートとが同時に接合される。従って、外装シートとボトムガセットシートを接合するためのシールバー等を別途用意する必要がなく、従来の角底パウチの製袋装置によって製袋することができる。
【００１７】
また、サイドガセットシートが完全に開かないようにするには、請求項３に係る発明の角底パウチのように、サイドガセットシートの側縁シール部を除いて、接合部を形成しておくことによって実現することができる。
【００１８】
また、請求項４に係る発明の角底パウチは、接合部がサイドガセットシートの側縁シール部と一体的に形成されているので、側縁シールを異形シールにすることによって対応することができる。
【００１９】
また、請求項５に係る発明の角底パウチは、裏面側の外装シートとボトムガセットシートとが部分的に接合されることによって接合部が形成されているので、起立させると全体が斜め後方に傾斜することになり、店頭で陳列したときに外装シートに施された商品表示等が見やすくなるという効果が得られる。
【００２０】
また、請求項６に係る発明の角底パウチは、サイドガセットシートの二重折込部よりも上側に、サイドガセットシートの側縁シール部を除いて、外装シートとサイドガセットシートとが接合された上位接合部を有しているので、収容物品を上下２点で支持することになり、収容物品の位置規制をより確実に行うことができる。
【図面の簡単な説明】
【００２１】
【図１】（ａ）はこの発明に係る角底パウチの一実施形態を示す正面図、（ｂ）は同上の角底パウチを示す背面図である。
【図２】同上の角底パウチを示す分解背面図である。
【図３】同上の角底パウチを構成しているサイドガセットシートを示す平面図である。
【図４】（ａ）は同上の角底パウチによって点眼薬を包装した包装体を示す正面図、（ｂ）は同上の包装体を示す側面図、（ｃ）は同上の包装体を示す背面図である。
【図５】他の実施形態である角底パウチを構成しているサイドガセットシートを示す平面図である。
【図６】（ａ）は従来の角底パウチを示す正面図（背面図）、（ｂ）は同上の角底パウチを示す分解斜視図である。
【図７】（ａ）は同上の角底パウチによって点眼薬を包装した包装体を示す正面図、（ｂ）は同上の包装体を示す側面図である。
【発明を実施するための形態】
【００２２】
以下、実施の形態について図面を参照して説明する。図１（ａ）、（ｂ）は、プラスチック容器に充填された点眼薬の２次包装パッケージとして使用する角底パウチ１を示しており、この角底パウチ１は、内面が熱接着性を有する柔軟性シートによって形成されている。
【００２３】
柔軟性シートは、通常、単層又は複層の樹脂フィルムから構成されている。フレキシブルシートとしては、ベースフィルム層と、ヒートシール性を付与するシーラント層とを有する複層シートが好適であり、高いガスバリア性が要求される場合には、ベースフィルム層とシーラント層との間にガスバリア層を設けることが好適である。
【００２４】
前記ベースフィルム層を構成するフィルムとしては、ポリエチレンテレフタレート等のポリエステル、ポリエチレン、ポリプロピレン等のポリオレフィン、ナイロン−６、ナイロン−６６などのポリアミド及びエチレン−ビニルアルコール共重合体（ＥＶＯＨ）等から構成される一層又は二層以上の延伸又未延伸フィルムが例示できる。
【００２５】
前記シーラント層を構成するフィルムとしては、低密度ポリエチレン（ＬＤＰＥ）、直鎖状低密度ポリエチレン（ＬＬＤＰＥ）、高密度ポリエチレン（ＨＤＰＥ）、エチレン−プロピレン共重合体（ＥＰ）、未延伸ポリプロピレン（ＣＰＰ）、二軸延伸ナイロン（ＯＮ）、エチレン−オレフィン共重合体、エチレン−アクリル酸共重合体（ＥＡＡ）、エチレン−メタクリル酸共重合体（ＥＭＡＡ）及びエチレン−酢酸ビニル共重合体（ＥＶＡ）等から構成される一層又は二層以上の延伸又未延伸フィルムが例示できる。
【００２６】
前記ガスバリア層としては、アルミニウム等の金属薄膜、又は塩化ビニリデン（ＰＶＤＣ）、エチレン−ビニルアルコール共重合体（ＥＶＯＨ）などの樹脂フィルム、或いは任意の合成樹脂フィルム（例えば、ベースフィルム層であってもよい）に、アルミニウム、酸化アルミニウムやシリカ等の無機酸化物などを蒸着（又はスパッタリング）したフィルムが例示できる。
【００２７】
この角底パウチ１は、図１（ａ）、（ｂ）及び図２に示すように、表裏一対の外装シート１１、１２と、両外装シート１１、１２の両側部から内側に折り込まれてサイドガセット部を形成する左右一対のサイドガセットシート１３と、両外装シート１１、１２の下端部から内側に折り込まれてボトムガセット部を形成するボトムガセットシート１４と、表裏一対の外装シート１１、１２の上部内面にそれぞれ貼着された一対のファスナー部材１５とから構成されている。
【００２８】
裏面側の外装シート１２、サイドガセットシート１３及びボトムガセットシート１４は、ポリエチレンやポリプロピレン等からなる熱接着性を有するシーラントフィルムの外面に、アルミホイル等のガスバリア性シート等を積層した二軸延伸ポリエステルフィルム等をラミネートした厚さ８０〜２００μｍ程度の不透明な柔軟性シートによって形成されているが、正面側の外装シート１１は、ポリエチレンやポリプロピレン等からなる熱接着性を有するシーラントフィルムの外面に二軸延伸ポリエステルフィルム等をラミネートした厚さ８０〜２００μｍ程度の透明な柔軟性シートによって形成されおり、この角底パウチ１に収容した点眼薬を正面側から視認することができるようになっている。
【００２９】
前記サイドガセットシート１３は、図３に示すように、幅方向の中央部を、その上端からボトムガセットシート１４の折込高さ位置まで延びる谷折りの第１縦折目線１３ａと、幅方向の中央部を、その下端から第１縦折目線１３ａの下端まで延びる山折りの第２縦折目線１３ｂと、下端角部から傾斜角度４５度で、第１縦折目線１３ａと第２縦折目線１３ｂとの境界点まで延びる一対の谷折りの傾斜折目線１３ｃ、１３ｃとを有しており、谷折りの第１縦折目線１３ａで二つ折りされると共に、一対の谷折りの傾斜折目線１３ｃ、１３ｃに挟まれた二等辺三角形の部分が山折りの第２縦折目線１３ｂで二つ折りされることによって、サイドガセット部の下端に、二つ折りされたボトムガセットシート１４の両端部を挟み込む二重折込部１３Ａが形成されるようになっている。
【００３０】
この角底パウチ１は、図１（ａ）、（ｂ）に示すように、外装シート１１、１２の側縁ＯＥ１が対応するサイドガセットシート１３の側縁ＳＥ１に、外装シート１１、１２の下端縁ＯＥ２が対応するボトムガセットシート１４の下端縁ＧＥにそれぞれヒートシールされると共に、サイドガセットシート１３よりも上側における外装シート１１、１２の側縁ＯＥ１同士がヒートシールされ、ボトムガセットシート１４の側縁が対応するサイドガセットシート１３の二重折込部１３Ａにおける内側の側縁（図３に示すサイドガセットシート１３の下端縁）ＳＥ２にヒートシールされることで、袋状に形成されている。なお、図１（ａ）、（ｂ）における網掛け表示部分が、角底パウチ１のヒートシール部分を示している。
【００３１】
また、図３に示すように、サイドガセットシート１３におけるクロスハッチングで示す側縁シール部よりも内側には、裏面側の傾斜折目線１３ｃを挟んでその両側に、二重折込部１３Ａを形成した状態で相互に一致する一対の穴１３ｄ、１３ｄが形成されており、図１（ｂ）に示すように、この穴１３ｄ、１３ｄ部分で、裏面側の外装シート１２とボトムガセットシート１４とがヒートシールされることで、ポイントシール部ＰＳが形成されている。なお、図２における一点鎖線で囲われた円形の部分がヒートシールされる部分である。
【００３２】
容器に充填された点眼薬を、上述した角底パウチ１に収容し、外装シート１１、１２の上縁部分をヒートシールすると、図４（ａ）〜（ｃ）に示すように、点眼薬Ｂが密封包装された包装体が出来上がる。
【００３３】
以上のように、この角底パウチ１は、左右のサイドガセット部にそれぞれ形成された、サイドガセットシート１３の二重折込部１３Ａに、サイドガセットシート１３の側縁シール部を除いて、外装シート１２及びボトムガセットシート１４が部分的にヒートシールされたポイントシール部が形成されているので、底部付近のサイドガセット部が開きにくく、収容した点眼薬Ｂが、内側に張り出したサイドガセットシート１３によって位置決めされ、角底パウチ１の中で揺動することがない。
【００３４】
また、点眼薬Ｂの位置規制のためにサイドガセット部やボトムガセット部の幅を小さくしなくてもよいので、パウチ上部にある程度の余裕を確保することができると共に、外装シート１１、１２の幅を十分に確保することができるので、点眼薬Ｂの収容作業性が低下することがなく、販促効果に影響を及ぼす表示面積が小さくなることもない。
【００３５】
また、この角底パウチ１は、裏面側の外装シート１２とボトムガセットシート１４とが部分的にヒートシールされたポイントシール部が形成されているので、図４（ｂ）に示すように、起立させると全体が斜め後方に僅かに傾斜することになり、店頭で陳列したときに外装シート１１に施された商品表示等が見やすくなるという効果が得られる。
【００３６】
なお、上述した実施形態では、サイドガセットシート１３の二重折込部１３Ａに、サイドガセットシート１３の側縁シール部を除いて、穴１３ｄを形成することによって、外装シート１２とボトムガセットシート１４とをポイントシールしているが、これに限定されるものではなく、サイドガセットシート１３が完全に開かないようにするには、例えば、図５に示すように、サイドガセットシート１３の二重折込部における側縁シール部となる外側の側縁ＳＥ１及びその側縁ＳＥ１に隣接する内側の側縁ＳＥ２の対応する位置にそれぞれ切欠部１３ｅを形成し、この切欠部１３ｅを介して、外装シート１２とボトムガセットシート１４とをポイントシールするようにしてもよい。
【００３７】
特に、同図に示すように、サイドガセットシート１３におけるクロスハッチングで示す側縁シール部からはみ出さないように切欠部１３ｅを形成しておくと、サイドガセットシート１３の側縁を外装シート１２やボトムガセットシート１４の側縁にヒートシールする際、外装シート１２とボトムガセットシート１４とが同時にポイントシールされるので、外装シート１２とボトムガセットシート１４とをポイントシールするためのシールバー等を別途用意する必要がなく、従来の角底パウチの製袋装置によって製袋することができるという効果が得られる。
【００３８】
また、上述した各実施形態では、サイドガセットシート１３の二重折込部１３Ａに穴１３ｄや切欠部１３ｅを形成することによって、外装シート１２とボトムガセットシート１４とをポイントシールしているが、これに限定されるものではなく、同様の効果を得るために、例えば、外装シート１２とサイドガセットシート１３とを同様の位置でポイントシールしたり、ボトムガセットシート１４とサイドガセットシート１３とを同様の位置でポイントシールしたりすることも可能である。
【００３９】
また、上述した各実施形態では、角底パウチ１の背面側において、外装シート１２とボトムガセットシート１４、外装シート１２とサイドガセットシート１３またはボトムガセットシート１４とサイドガセットシート１３とを、それぞれポイントシールしているが、これに限定されるものではなく、角底パウチの正面側において、外装シート１１とボトムガセットシート１４、外装シート１１とサイドガセットシート１３またはボトムガセットシート１４とサイドガセットシート１３とを、それぞれポイントシールしたり、一方のサイドガセット部は角底パウチの背面側に、他方のサイドガセット部は角底パウチの正面側にポイントシール部を形成したり、角底パウチの背面側及び正面側の双方にポイントシール部を形成したりすることも可能である。ただし、起立させた状態で角底パウチを後方に傾斜させるためには、背面側、特に、外装シート１２とボトムガセットシート１４との間ポイントシールを形成しておくことが望ましい。
【００４０】
また、上述した各実施形態では、サイドガセット部の底部（サイドガセットシート１３の二重折込部１３Ａ）にポイントシール部が形成されているが、これに加えて、サイドガセットシート１３の二重折込部１３Ａよりも上側に、外装シート１１及び外装シート１２の少なくとも一方とサイドガセットシート１３とが部分的にヒートシールされた上位ポイントシール部（上位接合部）を形成することも可能であり、係る構成を採用することによって、収容物品が上下２点で支持されることになるので、収容物品の位置規制をより確実に行うことができる。
【００４１】
また、上述した各実施形態では、ポイントシール部や上位ポイントシール部が側縁シール部から完全に分離した状態で形成されているが、これに限定されるものではなく、例えば、ポイントシール部や上位ポイントシール部を側縁シール部と重複するような状態で形成したり、ポイントシール部と側縁シール部とを一体的に形成してもよい。
【００４２】
また、上述した各実施形態では、点眼薬の２次包装パッケージとして使用する角底パウチ１について説明したが、これに限定されるものではなく、例えば、化粧品等の種々の物品を収容する場合に本発明を適用することができることはいうまでもない。
【産業上の利用可能性】
【００４３】
本発明は、一対のサイドガセット部及びボトムガセット部を有する角底パウチに利用することができる。
【符号の説明】
【００４４】
１  角底パウチ
１１、１２  外装シート
１３  サイドガセットシート
１３Ａ  二重折込部
１３ａ  第１縦折目線
１３ｂ  第２縦折目線
１３ｃ  傾斜折目線
１３ｄ  穴
１３ｅ  切欠部
１４  ボトムガセットシート
１５  ファスナー部材
Ｂ  点眼薬
ＰＳ  ポイントシール部（接合部）
ＯＥ１  外装シートの側縁
ＯＥ２  外装シートの下端縁
ＳＥ１  サイドガセットシートの側縁
ＳＥ２  サイドガセットシートの二重折込部における内側の側縁（下端縁）
ＧＥ  ボトムガセットシートの下端縁
【図１】
0005957752.tif 000002
【図２】
0005957752.tif 000003
【図３】
0005957752.tif 000004
【図４】
0005957752.tif 000005
【図５】
0005957752.tif 000006
【図６】
0005957752.tif 000007
【図７】
0005957752.tif 000008